(57)【要約】      （修正有）【課題】支持部材の領域でコンクリートスラブの応力を吸収するための補強部材を提供する。【解決手段】支持部材３の領域で支持対象のコンクリート・スラブ１の応力を吸収する為の補強部材９であって、長手方向に安定した柔軟な長手部材１０で構成され、その第１末端領域１２は、コンクリート・スラブ１の第１屈曲補強層２を通り抜けるように方向づけられている。第１末端領域１２に隣接する第１領域１３は、鋭角αで、コンクリート・スラブ１の第２屈曲補強層４に向かって延びる。隣接する第２領域１４は、第２屈曲補強層４を通り抜けるように方向づけられていて、支持部材３とは反対側に面した第２屈曲補強層４の表面に沿って、支持部材３の領域を延びていく。補強部材の第２末端領域１５は、第２屈曲補強層４を通り抜け、第１屈曲補強層２に向かうように方向づけられる。【選択図】図１
2010242494.tif 000002
【特許請求の範囲】
【請求項１】
コンクリート・スラブ（１）の応力を吸収する為の補強部材であり、
そのコンクリート・スラブ（１）には、支持部材（３）に隣接した位置にある、第１屈曲補強層（２）と、支持部材（３）とは反対側に面している第２屈曲補強層（４）が備えられており、
その各屈曲補強層を構成するのは、長手方向に延びる補強バー（５、７）と横手方向に延びる補強バー（６、８）であって、
そのような第１屈曲補強層（２）、第２屈曲補強層（４）の間に、補強部材（９）を挿入するというものであって、
その特徴は、
各補強部材（９）を構成するのは、長手方向に安定性があり柔軟な長手部材（１０）で、
その第１末端領域（１２）は、第１屈曲補強層（２）を通り抜けるように方向づけられており、
第１末端領域（１２）に隣接する長手部材（１０）の第１領域（１３）は、第２屈曲補強層（４）に向かって鋭角αで延びており、
第１領域（１３）に隣接する第２領域（１４）は、第２屈曲補強層（４）を通り抜けるように方向づけられていて、支持部材（３）の領域で、支持部材（３）とは反対側に面する、第２屈曲補強層（４）の表面に沿って延びていて、
長手部材の第２末端領域（１５）は、第２屈曲補強層（４）を通り抜けて第１屈曲補強層（２）に向かうように方向づけられていることを特徴とする、補強部材。
【請求項２】
長手部材（１０）が、帯（１１）の形であり、
その幅は、その厚みの倍数にして、好きな長さにすることができることを特徴とする、請求項１に記載の補強部材。
【請求項３】
第１屈曲補強層（２）と第２屈曲補強層（４）との、長手方向に延びる補強バー（５、７）と横手方向に延びる補強バー（６、８）の対応するものとすべて平行な、長手方向に延びる補強部材と横手方向に延びる補強部材（９）を、コンクリート・スラブ（１）の中に挿入することを特徴とする、請求項１または２に記載の補強部材。
【請求項４】
複数の補強部材（９）を、多層構造にしてコンクリート・スラブの中に挿入することを特徴とする、請求項１から３のいずれか一つに記載の補強部材。
【請求項５】
多層構造にしてコンクリート・スラブ（１）の中に挿入される、複数の補強部材（９）の第１末端領域（１２）と第２末端領域（１５）及び／または第１領域（１３）が、互いに近づいていくように、または、離れていくように配置されることを特徴とする、請求項４に記載の補強部材。
【請求項６】
角度αが、２０°から５０°の範囲内であることを特徴とする、請求項１から５のいずれか一つに記載の補強部材。
【請求項７】
長手部材（１０）が、炭素繊維強化プラスチックで形成されることを特徴とする、請求項１から６のいずれか一つに記載の補強部材。
【請求項８】
第２末端領域（１５）が、支持対象のコンクリート・スラブ（１）の支持部材（３）の幅について、第１末端領域（１２）と合わせるように、第１屈曲補強層（２）の中に入っていくように方向づけられることを特徴とする、請求項１から７のいずれか一つに記載の補強部材。
【請求項９】
第１末端領域（１２）、第２末端領域（１５）は、それぞれ、第１屈曲補強層（２）の少なくとも一つの補強バー（６）の周りを迂回するように方向づけられ、
そのような補強バーは、補強部材（９）に対して横手方向に延びており、
そして、第２領域（１４）は、第２屈曲補強層（４）の対応する横手方向に延びる複数の補強バー（８）を横切るように方向づけられることを特徴とする、請求項８に記載の補強部材。
【請求項１０】
第２末端領域（１５）は、支持対象のコンクリート・スラブ（１）の縁部支持部材（２５）の、第１屈曲補強層（２）へと方向づけられることを特徴とする、請求項１から７のいずれか一つに記載の補強部材。
【請求項１１】
第１末端領域（１２）、第２末端領域（１５）の少なくとも一つが、第１屈曲補強層（２）の多数の横手方向に延びる補強バー（６）を横切って迂回することを特徴とする、請求項１から１０のいずれか一つに記載の補強部材。
【請求項１２】
補強部材（９）の第１末端領域（１２）、第２末端領域（１５）に、アンカー手段（１６）を備えることを特徴とする、請求項１から１０のいずれか一つに記載の補強部材。
【請求項１３】
補強部材（９）が、周囲を迂回する、横手方向に延びる補強バー（６）、補強バー（８）にサドル部材（１７）を取り付けることを特徴とする、請求項１から１２のいずれか一つに記載の補強部材。
【請求項１４】
補強対象の既存のスラブ（２１）に、ドリル孔（２２）を開けられるようにして、
既存のスラブ（２１）の支持部材（３）の領域に、補強部材（９）を挿入できるようにし、
ドリル孔（２２）は、埋め戻すことができ、末端領域をアンカー部材で固定することができることを特徴とする、請求項１から７のいずれか一つに記載の補強部材。
【請求項１５】
補強部材（９）の方向づけを修正する領域において、
サドル部材を、ドリル孔（２２）の中に挿入し、
補強部材（９）を、そのようなサドル部材に載せて支えることを特徴とする、請求項１４に記載の補強部材。
【発明の詳細な説明】
【技術分野】
【０００１】
本発明は、支持部材、特に支柱や耐力壁においてコンクリート・スラブの応力を吸収する為の補強部材に関するものである。
該コンクリート・スラブには、支持部材に隣接した位置にある第１屈曲補強層と、支持部材とは反対側に面している第２屈曲補強層が備えられている。
第１屈曲補強層、第２屈曲補強層を構成するのは、基本的に長手方向に延びる補強バーと横手方向に延びる補強バーである。
第１屈曲補強層、第２屈曲補強層のような屈曲補強層の間に、多数の補強部材を挿入する。
【背景技術】
【０００２】
支持部材で支えたり、上に支持部材を載せたりするコンクリート天井や基礎スラブの為には、コンクリート天井や基礎スラブへの、支持力の導入を最適に行えるように、適切な配置を行わなければならない。
特に、コンクリート天井や基礎スラブがさらされる、剪断力と、打突剪断力を吸収しなければならない。
【０００３】
支持部材の領域で、このような応力を吸収してコンクリート・スラブへ導入する為の方策として様々なものが提案されてきた。
これまでに提案された数々の方策のうちの一つが、例えば、補強部材として補強ケージを支持部材のある領域のコンクリート・スラブ中に挿入するというものであり、その補強ケージは、Ｕ字型の帯筋を幾つか並置して互いに横棒で繋ぎ合わせて構成されている。
このような補強ケージを、複数で、コンクリート・スラブの上下の屈曲補強層の中に挿入し、それらの屈曲補強層に結合させるものである。
【０００４】
このような補強ケージは、かなり嵩張るものなので、これらを保管して建設現場に搬入するには費用がかかる。
しかも、そのような補強ケージを用いると、対応するコンクリート・スラブに詰め込める量にも限りがある。
【０００５】
鋼鉄製の剪断ヘッドと言われるものも知られており、支持対象のコンクリート・スラブの領域で用いられる。
このような鋼鉄製の剪断ヘッドは、荷重については、よく必要を満たすものではあるが、欠点はやはりとても高価であるということである。
【０００６】
複数の補強バーから成る補強部材も知られており、一つの基礎バーを備え、その基礎バーの上にブラケットを載せて、基礎バーを接続したものである。
このような補強部材を、別々に、そして必要な数だけ、上下の屈曲補強層の間の、支持対象のコンクリート・スラブの領域に挿入し、それらを繋ぐことができる。
応力を、コンクリート・スラブの中にうまく導入することは、このような補強部材を用いることで達成されるが、このような補強部材は、前もって製造しておく必要があるので、取り扱いには、未だ比較的費用が嵩む。
【発明の概要】
【発明が解決しようとする課題】
【０００７】
したがって、本発明によって解決される課題は、大きな荷重を吸収するのみならず、製造も容易かつ安価に行え、しかも極めて柔軟な取り扱いが可能な、支持部材の領域でコンクリート・スラブの応力を吸収する為の補強部材を作り出すということである。
【課題を解決するための手段】
【０００８】
本発明によると、この問題は、次のように解決される。
つまり、各補強部材を構成するのは、長手方向に安定性があり柔軟な長手部材で、その第１末端領域は、第１屈曲補強層を通り抜けるように方向づけられており、第１末端領域に隣接する、安定した柔軟な長手部材の第１領域は、第２屈曲補強層に向かって鋭角αで延びており、第１領域に隣接する第２領域は、第２屈曲補強層を通り抜けるように方向づけられていて、支持部材の領域で、支持部材と反対側に面している第２屈曲補強層の表面に沿って延びている。
そのような安定した柔軟な長手部材の第２末端領域は、その第２屈曲補強層を通り抜けて第１屈曲補強層に向かうように方向づけられている。
【０００９】
補強部材を形成する、長手方向に安定した柔軟な長手部材は、例えば、コイルのような形にして建設現場に搬入することができる。
補強部材は、そのコイルから巻き戻して取り出すようにして、好きな長さに切ることができる。
つぎに、長手方向に安定した柔軟な長手部材を、必要な数だけ、第１屈曲補強層と第２屈曲補強層の間を通り抜けるように、簡単に置くことができる。
そのようにして補強されたコンクリート・スラブを、最適に支持することができる。
【００１０】
有利にも、長手方向に安定した柔軟な長手部材は、帯状の形を有し、幅は、厚みの倍数にして好きな長さに切ることができる。
この長手部材を、屈曲補強層の中に最適に挿入することができる。
この帯は、言うまでもなく、別々の紐を複数集め、互いに隣り合わせ、かつ／または上下に重ね合わせて形成することができる。
この帯を、一本の紐だけを用いて、末端の領域で折り返し、折り目を重ねて多層構造にして形成することも可能である。
【００１１】
有利には、長手方向に延びる補強部材と横手方向に延びる補強部材の幾つかを、それぞれ、第１屈曲補強層と第２屈曲補強層の長手方向に延びる補強バーと横手方向に延びる補強バーのうちの適当なものと本質的に平行に、コンクリート・スラブの中に挿入する。
但し、補強部材の数は、吸収しようとする荷重に応じて決定できる。
【００１２】
本発明の別の有利な実施例は、複数の補強部材を、多層構造にしてコンクリート・スラブの中に挿入するというものである。
このようにして、複数の補強部材の使い方を、吸収しようとする応力に合わせて極めて柔軟に適合させることができる。
【００１３】
本発明の別の有利な実施例は、コンクリート・スラブの中へ多層構造にして埋め込まれ、互いに近づいたり離れたりして延びていく複数の補強部材の第１末端領域と第２末端領域および／または第１領域により、適用する態様に応じて、最適の荷重分布が達成されるというものである。
【００１４】
有利には、角度αは２０°から５０°の範囲であって、これにより、吸収しようとする応力の移動を最適に行うことができる。
【００１５】
本発明の別の有利な実施例は、長手方向に安定した柔軟な長手部材が炭素繊維強化プラスチックで形成され、それにより、所望の物性が最適に達成されるというものである。
【００１６】
本発明の別の有利な実施例は、第２末端領域が、支持対象のコンクリート・スラブに用いる中間支持部材として、第１末端領域と合わせるように、第１屈曲補強層の中に入っていくように方向づけられるというものである。
その対称配置により、コンクリート・スラブの中へ応力が最適に導入される。
【００１７】
補強部材の末端領域のそれぞれは、第１屈曲補強層の少なくとも一つの横手方向に延びる補強バーの周りを迂回するように方向づけられ、一方、第２領域は、第２屈曲補強層の適当な横手方向に延びる複数の補強バーを横切るように方向づけられる。
これもまた、補強部材を用いて、屈曲補強層への応力の導入を最適に行う結果を導く。
【００１８】
本発明の別の有利な実施例は、スラブの縁部の複数の縁部支持部材を支えることができるというものであり、第２末端領域は、支持部材に向かって、第１屈曲補強層へと方向づけられる。
長手方向に安定した柔軟な長手部材が補強部材を形成し、その長手部材はどのような用途にも最適に適合する。
【００１９】
コンクリート・スラブの中の複数の補強部材の末端領域のアンカー固定の改善は、様々な方法で可能である。
末端領域は、第１屈曲補強層の横手方向に延びる補強バーの幾つかの上を迂回させることができる。
しかしながら、複数の補強部材の末端領域に、それぞれの用途のタイプに適合したアンカー部材として機能するアンカー固定手段を備えることも可能である。
【００２０】
有利にも、複数の補強部材が周囲を迂回する横手方向に延びる補強バーにサドル部材を取り付け、そのような複数のサドル部材で、そのような領域における補強部材の保護をする。
【００２１】
本発明の別の有利な実施例は、支持部材の領域の既存のスラブに複数の補強部材を挿入できるようにするものである。
そのために、補強対象のスラブに、ドリル孔を開けることができ、そのドリル孔を介して、それぞれの補強部材を挿入することもできる。
また、そのようなドリル孔は、埋め戻すことができ、その末端領域を、アンカー部材で固定することができる。
そのようにして、同じ補強部材で、既存の建造物の補強を最適に行うことができる。
【００２２】
この場合においても、複数の補強部材の方向づけを修正する領域において、サドル部材を、ドリル孔の中に挿入することができる。
このように、サドル部材に載せて補強部材を支えることにより、補強部材を、損傷から保護することが可能になる。
【００２３】
第１に、
複数の支持部材（３）、特に支持部材や耐力壁の領域で、コンクリート・スラブ（１）の応力を吸収する為の補強部材であり、
そのコンクリート・スラブ（１）には、支持部材（３）に隣接した位置にある、第１屈曲補強層（２）と、支持部材（３）とは反対側に面している第２屈曲補強層（４）が備えられており、
その各屈曲補強層を構成するのは、基本的に長手方向に延びる補強バー（５、７）と横手方向に延びる補強バー（６、８）であって、
そのような第１屈曲補強層（２）、第２屈曲補強層（４）の間に、多くの補強部材（９）を挿入するというものであって、
その特徴は、
各補強部材（９）を構成するのが、長手方向に安定性があり柔軟な長手部材（１０）で、
その第１末端領域（１２）は、第１屈曲補強層（２）を通り抜けるように方向づけられており、
第１末端領域（１２）に隣接する、そのような安定した柔軟な長手部材（１０）の第１領域（１３）は、第２屈曲補強層（４）に向かって鋭角αで延びており、
第１領域（１３）に隣接する第２領域（１４）は、第２屈曲補強層（４）を通り抜けるように方向づけられていて、支持部材（３）の領域で、支持部材（３）とは反対側に面する、第２屈曲補強層（４）の表面に沿って延びていて、
そのような安定した柔軟な長手部材の第２末端領域（１５）は、第２屈曲補強層（４）を通り抜けて第１屈曲補強層（２）に向かうように方向づけられていることを特徴とする、補強部材である。
第２に、
長手方向に安定した柔軟な長手部材（１０）が、帯（１１）の形であり、
その幅は、その厚みの倍数にして、好きな長さにすることができることを特徴とする、上記第１に記載の補強部材である。
第３に、
第１屈曲補強層（２）と第２屈曲補強層（４）との、長手方向に延びる補強バー（５、７）と横手方向に延びる補強バー（６、８）の対応するものと本質的にすべて平行な、長手方向に延びる補強部材と横手方向に延びる補強部材（９）の幾つかを、コンクリート・スラブ（１）の中に挿入することを特徴とする、上記第１または２に記載の補強部材である。
第４に、
複数の補強部材（９）を、多層構造にしてコンクリート・スラブの中に挿入することを特徴とする、上記第１から３のいずれか一つに記載の補強部材である。
第５に、
多層構造にしてコンクリート・スラブ（１）の中に挿入される、複数の補強部材（９）の第１末端領域（１２）と第２末端領域（１５）及び／または第１領域（１３）が、互いに近づいていくように、または、離れていくように配置されることを特徴とする、上記第４に記載の補強部材である。
第６に、
角度αが、２０°から５０°の範囲内であることを特徴とする、上記第１から５のいずれか一つに記載の補強部材である。
第７に、
長手方向に安定した柔軟な長手部材（１０）が、炭素繊維強化プラスチックで形成されることを特徴とする、上記第１から６のいずれか一つに記載の補強部材である。
第８に、
第２末端領域（１５）が、支持対象のコンクリート・スラブ（１）の支持部材（３）の幅について、第１末端領域（１２）と合わせるように、第１屈曲補強層（２）の中に入っていくように方向づけられることを特徴とする、上記第１から７のいずれか一つに記載の補強部材である。
第９に、
第１末端領域（１２）、第２末端領域（１５）は、それぞれ、第１屈曲補強層（２）の少なくとも一つの補強バー（６）の周りを迂回するように方向づけられ、
そのような補強バーは、補強部材（９）に対して横手方向に延びており、
そして、第２領域（１４）は、第２屈曲補強層（４）の対応する横手方向に延びる複数の補強バー（８）を横切るように方向づけられることを特徴とする、上記第８に記載の補強部材である。
第１０に、
第２末端領域（１５）は、支持対象のコンクリート・スラブ（１）の縁部支持部材（２５）の、第１屈曲補強層（２）へと方向づけられることを特徴とする、上記第１から７のいずれか一つに記載の補強部材である。
第１１に、
第１末端領域（１２）、第２末端領域（１５）の少なくとも一つが、第１屈曲補強層（２）の多数の横手方向に延びる補強バー（６）を横切って迂回することを特徴とする、上記第１から１０のいずれか一つに記載の補強部材である。
第１２に、
補強部材（９）の第１末端領域（１２）、第２末端領域（１５）に、アンカー手段（１６）を備えることを特徴とする、上記第１から１０のいずれか一つに記載の補強部材である。
第１３に、
補強部材（９）が、周囲を迂回する、横手方向に延びる補強バー（６）、補強バー（８）にサドル部材（１７）を取り付けることを特徴とする、上記第１から１２のいずれか一つに記載の補強部材である。
第１４に、
補強対象の既存のスラブ（２１）に、ドリル孔（２２）を開けられるようにして、
既存のスラブ（２１）の支持部材（３）の領域に、補強部材（９）を挿入できるようにし、
ドリル孔（２２）は、埋め戻すことができ、末端領域をアンカー部材で固定することができることを特徴とする、上記第１から７のいずれか一つに記載の補強部材である。
第１５に、
補強部材（９）の方向づけを修正する領域において、
サドル部材を、ドリル孔（２２）の中に挿入し、
補強部材（９）を、そのようなサドル部材に載せて支えることを特徴とする、上記第１４に記載の補強部材である。
本発明による補強部材の実施例と適用例を、添付図面に基づき更に詳細に説明する。
【図面の簡単な説明】
【００２４】
【図１】本発明による補強部材が、支持部材の領域のコンクリート・スラブの中に挿入されているところを示す概略図。
【図２】図１にしたがった、本発明による補強部材の平面図。
【図３】図１及び図２にしたがった、本発明による補強部材の斜視図。
【図４】本発明による補強部材の幾つかが、一つの支持部材の領域において概略的に示したコンクリート・スラブに挿入されているところを示す図。
【図５】図４にしたがった、本発明による補強部材の配置を示す平面図。
【図６】図４及び図５にしたがった、コンクリート・スラブに挿入した本発明による補強部材の配置を示す斜視図。
【図７】補強バーの周囲を迂回する、本発明による補強部材の第１末端領域を示す図。
【図８】幾つかの接着層を備えた、本発明による補強部材の第１末端領域を示す図。
【図９】アンカー固定部を備えた、本発明による補強部材の第１末端領域を示す図。
【図１０】コンクリート・スラブに外側からしっかりと固定した、本発明による補強部材の第１末端領域を示す図。
【図１１】既存の構造物の中に後から挿入した、本発明による補強部材を示す図。
【図１２】互いに上下に重ねて多層構造に配置した、本発明による補強部材を示す図。
【図１３】側面から支えたコンクリート・スラブの領域での、本発明による補強部材の第１末端領域を示す図。
【図１４】縁部支持部材の領域のコンクリート・スラブにおける、本発明による補強部材の配置を示す平面図。
【図１５】コンクリート・スラブ用の角部支持領域に配置された、本発明による補強部材を示す図。
【発明を実施するための形態】
【００２５】
図１に示すコンクリート・スラブ１は、例えば建物の天井として用いられる。
このコンクリート・スラブを構成するのは、周知の通り、そのコンクリート・スラブ１を支えている支持部材３に隣接した第１屈曲補強層２と、支持部材３とは反対側の面でコンクリート・スラブ１に埋め込まれている第２屈曲補強層４である。
第１屈曲補強層２は、周知の通り、長手方向に延びる補強バー５と横手方向に延びる補強バー６から成り、第２屈曲補強層４も、周知の通り、長手方向に延びる補強バー７と横手方向に延びる補強バー８から成る。
本発明による補強部材９を、ここに図示する支持部材３の領域に挿入する。
この補強部材９は、引っ張り強度と軸方向の剛性の高い、長手方向に安定した柔軟な長手部材１０から成るが、そのような長手方向に安定した柔軟な長手部材は、長手方向に直角な方向に柔軟である。
この長手方向に安定した柔軟な長手部材１０は、ここで示す実施例では、帯１１として示されており、その幅はその厚みの倍数である。
この帯は、例えば、炭素繊維強化プラスチックから成る。
特に、引っ張り強度と軸方向の剛性の高いものであれば、他の適切な素材も想定可能である。
また、その形態も帯状とは限らず、もっと細い、長手方向に安定した柔軟な部材で、望まれる特性を備えた束状のものでも想定可能である。
【００２６】
補強部材９の第１末端領域１２は、第１屈曲補強層２を通り抜けるように方向づけられている。
ここで、第１末端領域１２は、その第１屈曲補強層２の横手方向に延びる補強バー６の周りを迂回している。
そこに隣接する第１領域１３は、横手方向に延びる補強バー６から、２０°から５０°の範囲にある角度αを成す方向に逸れて、第２屈曲補強層４に至る。
そのようにして、第１領域１３は、第２屈曲補強層の横手方向に延びる補強バー８の周りを迂回し、最後に第２領域１４に至る。
この第２領域１４が、原則的に第２屈曲補強層４の真上で支持部材３の幅を横断する。
つぎに、更に横手方向に延びる補強バー８の周りを迂回して、最後に第２末端領域１５に至る。
該第２末端領域１５は、第１屈曲補強層２に向かって方向づけられている。
ここで示す例では、補強部材９は、支持部材３との位置関係で、対称的に、コンクリート・スラブ１を通り抜けるように方向づけられている。
このような配置が行われるのは、この支持部材３の両側にはみ出して延びていくコンクリート・スラブ１を支持部材３で支えなければならない場合である。
このような補強部材９は、コンクリート・スラブに流し込む前に、第１屈曲補強層２と第２屈曲補強層４とに極めて容易に挿入できる。
このような帯１１を、例えば、コイルのように巻き上げた形で建設現場に持ち込むこともできる。
そして、この帯の一部を伸ばして、好きな長さに切る。
第１屈曲補強層２と第２屈曲補強層４とに挿入する補強部材を、固定してもよい。
更に、第１末端領域１２と第２末端領域１５の両末端に、以下に詳述するようなアンカー手段１６を取り付けてもよい。
補強バーを迂回する領域における帯への損傷を避ける為に、例えばプラスチック製のサドル部材を、これらの補強バーに、周知の方法で、取り付けてもよい。
【００２７】
これらの補強部材９を挿入した後、コンクリートを流し込むことができる。
コンクリートを養生した状態で、支持応力の吸収を最適に行うのが、これらの補強部材９である。
特に、このような応力の分散は、広範囲にわたって、第１屈曲補強層２へも最適に行われるのであり、これらの補強部材９が受けるのは、実際には張力だけである。
【００２８】
図２に、破線で描いたコンクリート・スラブ１、コンクリート・スラブ１を支える支持部材３、コンクリート・スラブ１の中に挿入されている第１屈曲補強層２と第２屈曲補強層４、横手方向に延びる補強バー６と補強バー８だけを分かりやすくする為に示しており、一方で長手方向に延びる補強バーは、分かりやすくする為に図示していない。
上記に述べたように、補強部材９を、第１屈曲補強層２と第２屈曲補強層４とに挿入する。
サドル部材１７は、そのような補強部材９を保護し、方向づける。
該サドル部材１７は、補強バーに取り付けられている。
【００２９】
図３で、この実施例の斜視図を示す。
【００３０】
図４から６までに示すのは、コンクリート・スラブ１を支える支持部材３の領域のコンクリート・スラブ１における補強部材９の配置である。
コンクリート・スラブ１に、上述した通り、第１屈曲補強層２と第２屈曲補強層４を備えつける。
第１屈曲補強層２を構成するのは、長手方向に延びる補強バー５と横手方向に延びる補強バー６である。
第２屈曲補強層４は、長手方向に延びる補強バー７と横手方向に延びる補強バー８から成る。
ここで示す実施例では、四つの補強部材９が、第１屈曲補強層２と第２屈曲補強層４の横手方向に延びる補強バー６または補強バー８を横切る形で置かれ、その結果、長手方向に延びる補強バー５または補強バー７に平行に延びる。
四つの補強部材９が、第１屈曲補強層２の長手方向に延びる補強バー５と、第２屈曲補強層４の長手方向に延びる補強バー７とを横切る形で置かれ、したがって、横手方向に延びる補強バー６または補強バー８に平行に延びる。
サドル部材１７を、補強バー５、補強バー６、補強バー７、補強バー８に取り付け、そこを横切って、補強部材９が、補強バー５、補強バー６、補強バー７、補強バー８の周りを迂回して逸れていくようにする。
【００３１】
支持部材３の寸法や第１屈曲補強層２と第２屈曲補強層４の設計に応じて、用いる補強部材９の数は、増やしても減らしてもよい。
また、補強部材９の数は、吸収すべき荷重に左右される。
【００３２】
図７の実施例では、補強部材９の第１末端領域１２を、第１屈曲補強層２の中に、どのようにしてしっかりと固定できるのかを示す。
この第１末端領域１２は、図７に示すように、第１屈曲補強層２の、数多くの横手方向に延びる補強バー６の周囲に編み込むことができる。
そして、コンクリートを流し込んだ後、補強部材９の第１末端領域１２は、第１屈曲補強層２の中に固定される。
【００３３】
図８は、補強部材９の第１末端領域１２を示すものである。
第１末端領域１２の両側に、周知の方法で、接着層１８を備えつける。
すると、その接着層１８が、アンカー手段１６の役目をする。
【００３４】
図９は、補強部材９の第１末端領域１２を示すものである。
アンカー手段１６として、プレート１９を両側に取り付ける。
そのプレート１９は、補強部材９の第１末端領域１２に、ねじ止め手段２０で固定される。
【００３５】
図１０から明らかなように、周知の方法で、コンクリート・スラブ１の外側で補強部材９をしっかりと固定することも想定可能である。
【００３６】
図１１から明らかなように、本発明による補強部材９は、既存の構造物の中に挿入してもよい。
補強対象のスラブ２１に、ドリル孔２２をあけることができる。
そのドリル孔２２は、支持部材２３とは反対側のスラブの面に向かって延び、支持部材２３のほぼ領域内のスラブ２１を抜け出る。
つぎに、補強部材９を、これらのドリル孔２２の中に挿入することができる。
そうすることで、補強部材９を、アンカー手段２４を周知の方法で用いて、支持部材２３に面する側のスラブ２１の表面に、しっかりと固定することができる。
補強部材９に、周知の方法で、プレテンションを与えることも想定可能である。
【００３７】
図１１の左側に示す実施例では、支持部材２３と反対側に面したスラブ２１の側において、例えば細長い溝のような収納部２７に、補強部材９を挿入する。
一方、図１１の右側に示す実施例では、支持部材２３とは反対側に面したスラブ２１の表面に補強部材が位置している。
【００３８】
スラブ２１のドリル孔２２に、そして適用可能なら収納部２７の中に、補強部材９を挿入する。
そして、プレテンションを与えた後、ドリル孔２２、そして適用可能なら収納部２７に、コンクリートを周知の方法で流し込むことができる。
【００３９】
既存の構造物の最適な補強が、このような設計により達成できる。
吸収すべき荷重に応じて、多種多様な補強部材９を、支持部材２３の領域のスラブ２１に挿入することができる。
図４から６に示す実施例によっては、そのような補強部材９を交差させて設置することも想定可能である。
【００４０】
図１２に示す実施例では、二つの補強部材９を、上下に重ねてコンクリート・スラブ１の中に挿入している。
上下に重ねた、二つの補強部材９を挿入して、図１２の右側に示すように、それらが平行に延びるようにすることができる。
しかしながら、図１２の左側に示すように、特に補強部材９の第１領域１３において、互いに別れていくような形で挿入することができる。
第１末端領域１２も、平行である必要はなく、同様に互いに別れていくような配置にすることができる。
【００４１】
吸収すべき応力に応じて、より数多くの補強部材９を、上下に重ねることができる。
隣接する補強部材９の幾つかを、多層構造にすることもできる。
実際、無限の選がありうる。
【００４２】
上記の複数の実施例では、補強部材９について説明した。
また、支持対象のコンクリート・スラブの中間部に配置した支持部材３の領域において、その補強部材９を、どのように用いるかを説明している。
図１３を見て分かるように、コンクリート・スラブ１の縁部領域を支えるように想定された縁部支持部材２５についても、補強部材９を用いることができる。
このような縁部支持部材２５を、別々の複数の支持体としてもよいが、一つの支持壁にしてもよい。
コンクリート・スラブ１には、また、第１屈曲補強層２と第２屈曲補強層４が備えられている。
それらの層は、縁部領域で屈曲補強バー２８により接続されている。
上記に述べたように、縁部支持部材２５から成るスラブ上で、第１屈曲補強層２と第２屈曲補強層４に補強部材９を挿入する。
補強部材９の第２末端領域１５を、第１屈曲補強層２に向けて方向づけるのは第２屈曲補強層４である。
そうすることにより、第１屈曲補強層２と第２屈曲補強層４との間に挿入される中間バー２９の周りに、第２末端領域１５を設置することができる。
補強部材９の第２末端領域１５の末端に、上記に述べたように、周知の方法でアンカー手段を備えてもよい。
【００４３】
図１４が示すのは、縁部支持部材の領域におけるコンクリート・スラブ１に、適切な補強部材９を備える一つの可能性である。
コンクリート・スラブ１の縁部に平行に通る補強部材９を、図１から１２までで説明したような方法で、コンクリート・スラブ１の中に挿入する。
コンクリート・スラブ１の縁部に直角に通る補強部材９を、図１３で説明したような方法で、コンクリート・スラブ１の中に挿入する。
縁部支持部材２５が支持壁として形成されている場合は、図１３の説明で述べたような方法で、その支持壁に沿って、隣接した状態で補強部材９を挿入することができる。
【００４４】
図１５が示すコンクリート・スラブ１では、その角に角部支持部材２６が配置されている。
支持対象のスラブ１の角の領域を補強する為に、図１３の説明で述べたような方法で補強部材９を挿入することができる。
この場合は、このような複数の補強部材９を交差するように配置することができる。
【００４５】
本発明によるこのような補強部材を用いることにより、支持対象のコンクリート・スラブを、支持部材の領域で最適に補強することができる。
このような補強部材は、極めて容易に使うことができる。
そのように複数の用途が考えられるので、その場合ごとの荷重に応じて、その補強部材を最適な数だけ用いることが可能である。
帯状の設計により、このような複数の補強部材を多層構造にして用いることができる。
それらを互いに隣り合わせたり、交差させたり、あらゆる配置の方法が可能である。
【符号の説明】
【００４６】
１  コンクリート・スラブ
２  第１屈曲補強層
３  支持部材
４  第２屈曲補強層
５  補強バー
６  補強バー
７  補強バー
８  補強バー
９  補強部材
１０  長手部材
１１  帯
１２  第１末端領域
１３  第１領域
１４  第２領域
１５  第２末端領域
１６  アンカー手段
１７  サドル部材
１８  接着層
１９  プレート
２０  ねじ止め手段
２１  スラブ
２２  ドリル孔
２３  支持部材
２４  アンカー手段
２５  縁部支持部材
２６  角部支持部材
２７  収納部
２８  屈曲補強バー
２９  中間バー
【図１】
2010242494.tif 000003
【図２】
2010242494.tif 000004
【図３】
2010242494.tif 000005
【図４】
2010242494.tif 000006
【図５】
2010242494.tif 000007
【図６】
2010242494.tif 000008
【図７】
2010242494.tif 000009
【図８】
2010242494.tif 000010
【図９】
2010242494.tif 000011
【図１０】
2010242494.tif 000012
【図１１】
2010242494.tif 000013
【図１２】
2010242494.tif 000014
【図１３】
2010242494.tif 000015
【図１４】
2010242494.tif 000016
【図１５】
2010242494.tif 000017
【外国語明細書】
2010242494000001.pdf